(57)【要約】【課題】微少レベルの歪成分を精度よく検出する。【解決手段】歪発生器６５は、カプラ１５により取り出された主信号を基に、主増幅器５にて発生する歪成分と同一周波数の歪成分を含む参照歪信号を発生させる。この参照歪信号は、方向性結合器１８にて主信号と逆相結合されてから歪検出同期検波回路７５に供給される。カプラ１３により取り出された低歪出力信号は、方向性結合器１７にて主信号と逆相結合されてから歪検出同期検波回路７５に供給される。歪検出同期検波回路７５は、参照歪信号を用いて低歪出力信号を同相及び直交位相で同期検波することで、低歪出力信号中に含まれる歪成分を示す直流電圧を発生させる。【選択図】図１
2006033487.tif 000002
【特許請求の範囲】
【請求項１】
入力信号を増幅器にて増幅する際に発生し増幅後の出力信号中に含まれる歪成分を検出する歪検出回路であって、
前記増幅器へ入力される入力信号を基に、該増幅器にて発生する歪成分と同一周波数の歪成分を含む参照歪信号を発生させる歪発生器を有する参照歪発生回路と、
前記参照歪信号を用いて前記増幅後の出力信号を検波することで、該出力信号中に含まれる歪成分を示す歪検出信号を発生させる歪検出用検波器と、
を備えることを特徴とする歪検出回路。
【請求項２】
請求項１に記載の歪検出回路であって、
前記参照歪発生回路は、前記参照歪信号に前記増幅器へ入力される入力信号の一部を結合することで、該結合後の参照歪信号中に含まれる入力信号成分を低減させる参照歪抽出回路をさらに有し、
前記歪検出用検波器は、前記参照歪抽出回路による結合後の参照歪信号を用いて前記増幅後の出力信号を検波することを特徴とする歪検出回路。
【請求項３】
請求項２に記載の歪検出回路であって、
前記参照歪抽出回路による結合後の参照歪信号中に含まれる入力信号成分が低減するように、該参照歪抽出回路にて結合される信号の振幅及び位相の相互関係を制御する参照歪制御手段を備えることを特徴とする歪検出回路。
【請求項４】
請求項３に記載の歪検出回路であって、
前記参照歪制御手段は、前記増幅器へ入力される入力信号を用いて前記参照歪抽出回路による結合後の参照歪信号を検波することで、該結合後の参照歪信号中に含まれる入力信号成分を示す信号を発生させる参照歪検波器を有し、該参照歪検波器にて発生させた信号を基に該参照歪抽出回路にて結合される信号の振幅及び位相の相互関係を制御することを特徴とする歪検出回路。
【請求項５】
請求項１〜４のいずれか１に記載の歪検出回路であって、
前記増幅後の出力信号の一部に前記増幅器へ入力される入力信号の一部を結合することで、該結合後の出力信号中に含まれる入力信号成分を低減させる残留歪抽出回路を備え、
前記歪検出用検波器は、前記参照歪信号を用いて前記残留歪抽出回路による結合後の出力信号を検波することを特徴とする歪検出回路。
【請求項６】
請求項５に記載の歪検出回路であって、
前記残留歪抽出回路による結合後の出力信号中に含まれる入力信号成分が低減するように、該残留歪抽出回路にて結合される信号の振幅及び位相の相互関係を制御する残留歪制御手段を備えることを特徴とする歪検出回路。
【請求項７】
請求項６に記載の歪検出回路であって、
前記残留歪制御手段は、前記増幅器へ入力される入力信号を用いて前記残留歪抽出回路による結合後の出力信号を検波することで、該結合後の出力信号中に含まれる入力信号成分を示す信号を発生させる残留歪検波器を有し、該残留歪検波器にて発生させた信号を基に該残留歪抽出回路にて結合される信号の振幅及び位相の相互関係を制御することを特徴とする歪検出回路。
【請求項８】
請求項１に記載の歪検出回路であって、
前記増幅後の出力信号の一部を包絡線検波する残留歪包絡線検波器をさらに備え、
前記参照歪発生回路は、前記参照歪信号を包絡線検波する参照歪包絡線検波器をさらに有し、
前記歪検出用検波器は、前記参照歪包絡線検波器による包絡線検波後の参照歪信号を用いて前記残留歪包絡線検波器による包絡線検波後の出力信号を検波することを特徴とする歪検出回路。
【請求項９】
請求項８に記載の歪検出回路であって、
前記参照歪発生回路は、
前記増幅器へ入力される入力信号の一部を包絡線検波する入力信号包絡線検波器と、
前記参照歪包絡線検波器による包絡線検波後の参照歪信号に前記入力信号包絡線検波器による包絡線検波後の入力信号を結合することで、該結合後の参照歪信号中に含まれる入力信号成分を低減させる参照歪抽出回路と、
をさらに有し、
前記歪検出用検波器は、前記参照歪抽出回路による結合後の参照歪信号を用いて前記増幅後の出力信号を検波することを特徴とする歪検出回路。
【請求項１０】
請求項９に記載の歪検出回路であって、
前記参照歪抽出回路による結合後の参照歪信号中に含まれる入力信号成分が低減するように、該参照歪抽出回路にて結合される信号の振幅の相互関係を制御する参照歪制御手段を備えることを特徴とする歪検出回路。
【請求項１１】
請求項８に記載の歪検出回路であって、
前記増幅器へ入力される入力信号の一部を包絡線検波する入力信号包絡線検波器と、
前記残留歪包絡線検波器による包絡線検波後の出力信号に前記入力信号包絡線検波器による包絡線検波後の入力信号を結合することで、該結合後の出力信号中に含まれる入力信号成分を低減させる残留歪抽出回路と、
をさらに備え、
前記歪検出用検波器は、前記参照歪信号を用いて前記残留歪抽出回路による結合後の出力信号を検波することを特徴とする歪検出回路。
【請求項１２】
請求項１１に記載の歪検出回路であって、
前記残留歪抽出回路による結合後の出力信号中に含まれる入力信号成分が低減するように、該残留歪抽出回路にて結合される信号の振幅の相互関係を制御する残留歪制御手段を備えることを特徴とする歪検出回路。
【請求項１３】
入力信号を増幅する増幅器を含み、該増幅器へ入力される入力信号の一部と該増幅器から出力される信号の一部とを振幅及び位相の相互関係を調整して結合することで、該増幅器にて発生した歪成分を含むフィードフォワード信号を生成する歪抽出ループと、
前記フィードフォワード信号と前記増幅器から出力される信号とを振幅及び位相の相互関係を調整して結合することで、前記歪成分が低減された出力信号を生成する歪除去ループと、
前記出力信号中における前記歪成分が低減するように、前記歪除去ループにて結合される信号の振幅及び位相の相互関係を制御する歪除去制御手段と、
を備えるフィードフォワード増幅器であって、
前記歪除去制御手段は、請求項１〜１２のいずれか１に記載の歪検出回路を含み、前記歪検出用検波器が発生させる歪検出信号を基に前記歪除去ループにて結合される信号の振幅及び位相の相互関係を制御することを特徴とするフィードフォワード増幅器。
【請求項１４】
入力信号を増幅する増幅器と、
該増幅器へ入力される入力信号の振幅及び位相の調整が可能な調整手段と、
前記増幅器からの出力信号中に含まれる歪成分が低減するように、該増幅器へ入力される入力信号の振幅及び位相を制御する歪除去制御手段と、
を備えるプリディストーション増幅器であって、
前記歪除去制御手段は、請求項１〜１２のいずれか１に記載の歪検出回路を含み、前記歪検出用検波器が発生させる歪検出信号を基に前記増幅器へ入力される入力信号の振幅及び位相を制御することを特徴とするプリディストーション増幅器。
【発明の詳細な説明】
【技術分野】
【０００１】
本発明は、入力信号を増幅器にて増幅する際に発生し増幅後の出力信号中に含まれる歪成分を検出するための歪検出回路、それを用いたフィードフォワード増幅器及びプリディストーション増幅器に関する。
【背景技術】
【０００２】
従来のフィードフォワード増幅器の一例が特許文献１に開示されている。特許文献１のフィードフォワード増幅器においては、主増幅器にて発生し出力信号中に残留している残留歪成分を抽出するための残留歪抽出ループが設けられている。この残留歪抽出ループは、歪成分を含む出力信号から歪成分を含まない入力信号を差し引くことで、出力信号中に含まれる残留歪成分を表す抽出残留歪信号を生成する。そして、この生成された抽出残留歪信号を歪抽出ループにより得られた参照歪信号を用いて同期検波することで、出力信号中に含まれる残留歪成分を検出し、この検出信号のレベルが低減するように歪除去ループの制御を行っている。これによって、歪除去ループの制御のために用いていたパイロット信号を廃止している。
【０００３】
その他の背景技術として、特許文献２〜４のプリディストーション増幅器が開示されている。また、特許文献５〜８の歪発生回路が開示されている。
【０００４】
【特許文献１】特開２０００−２６１２５３号公報
【特許文献２】特開平３−２７６９１２号公報
【特許文献３】特開２０００−２６１２５２号公報
【特許文献４】特開２００３−１４２９５０号公報
【特許文献５】特公昭５７−１８３６５号公報
【特許文献６】特公昭６０−２５９２４号公報
【特許文献７】特開昭４８−２１９６１号公報
【特許文献８】実開昭６２−１９８１２号公報
【発明の開示】
【発明が解決しようとする課題】
【０００５】
特許文献１においては、抽出残留歪信号を歪抽出ループにより得られた参照歪信号を用いて同期検波することで、出力信号中に含まれる残留歪成分を検出している。ただし、抽出残留歪信号及び参照歪信号には、歪成分の他に実信号成分も存在するため、同期検波により得られる検出信号には、歪成分同士の乗算結果を示す成分の他に実信号成分同士の乗算結果を示す成分も存在する。この実信号成分同士の乗算結果を示す成分が出力信号中に含まれる残留歪成分の検出誤差となり、出力信号中に含まれる残留歪成分が小さくなるほどこの検出誤差が大きくなる。
【０００６】
特許文献１においては、残留歪抽出ループ及び歪抽出ループにより抽出残留歪信号中の実信号成分及び参照歪信号中の実信号成分をそれぞれ抑圧している。ただし、これらの信号中から実信号成分を完全に除去することは難しいため、残留歪成分の検出誤差が存在し、残留歪成分が小さくなるほどこの検出誤差が大きくなる。したがって、特許文献１においては、微少レベルの歪成分を精度よく検出することが困難であるという問題点がある。そのため、歪除去効果を十分に得ることが困難であるという問題点がある。
【０００７】
本発明は、微少レベルの歪成分を精度よく検出することができる歪検出回路を提供することを目的とする。また、本発明は、歪除去性能をさらに向上させることができるフィードフォワード増幅器及びプリディストーション増幅器を提供することを目的とする。
【課題を解決するための手段】
【０００８】
本発明に係る歪検出回路は、入力信号を増幅器にて増幅する際に発生し増幅後の出力信号中に含まれる歪成分を検出する歪検出回路であって、前記増幅器へ入力される入力信号を基に、該増幅器にて発生する歪成分と同一周波数の歪成分を含む参照歪信号を発生させる歪発生器を有する参照歪発生回路と、前記参照歪信号を用いて前記増幅後の出力信号を検波することで、該出力信号中に含まれる歪成分を示す歪検出信号を発生させる歪検出用検波器と、を備えることを要旨とする。
【０００９】
この本発明においては、増幅器にて発生する歪成分と同一周波数の歪成分を含む参照歪信号を出力する参照歪発生回路を増幅器と別個に設けることで、参照歪信号中に含まれる実信号成分を低減させ歪成分の割合を増大させることができる。そして、この参照歪発生回路から出力される参照歪信号を用いて増幅後の出力信号を検波することで、検波によって得られる歪検出信号中に含まれる実信号を示す成分を低減することができ、歪成分の検出誤差を低減することができる。したがって、この本発明によれば、微少レベルの歪成分を精度よく検出することができる。
【００１０】
本発明に係る歪検出回路において、前記参照歪発生回路は、前記参照歪信号に前記増幅器へ入力される入力信号の一部を結合することで、該結合後の参照歪信号中に含まれる入力信号成分を低減させる参照歪抽出回路をさらに有し、前記歪検出用検波器は、前記参照歪抽出回路による結合後の参照歪信号を用いて前記増幅後の出力信号を検波するものとすることもできる。こうすれば、増幅後の出力信号の検波に用いられる参照歪信号中に含まれる実信号成分をさらに低減させることができるので、微少レベルの歪成分をさらに精度よく検出することができる。
【００１１】
この態様の本発明に係る歪検出回路において、前記参照歪抽出回路による結合後の参照歪信号中に含まれる入力信号成分が低減するように、該参照歪抽出回路にて結合される信号の振幅及び位相の相互関係を制御する参照歪制御手段を備えるものとすることもできる。こうすれば、増幅後の出力信号の検波に用いられる参照歪信号中に含まれる実信号成分を安定して低減させることができる。
【００１２】
この態様の本発明に係る歪検出回路において、前記参照歪制御手段は、前記増幅器へ入力される入力信号を用いて前記参照歪抽出回路による結合後の参照歪信号を検波することで、該結合後の参照歪信号中に含まれる入力信号成分を示す信号を発生させる参照歪検波器を有し、該参照歪検波器にて発生させた信号を基に該参照歪抽出回路にて結合される信号の振幅及び位相の相互関係を制御するものとすることもできる。こうすれば、増幅後の出力信号の検波に用いられる参照歪信号中に含まれる実信号成分を低減させる制御を簡単な回路構成で行うことができる。
【００１３】
本発明に係る歪検出回路において、前記増幅後の出力信号の一部に前記増幅器へ入力される入力信号の一部を結合することで、該結合後の出力信号中に含まれる入力信号成分を低減させる残留歪抽出回路を備え、前記歪検出用検波器は、前記参照歪信号を用いて前記残留歪抽出回路による結合後の出力信号を検波するものとすることもできる。こうすれば、検波される増幅後の出力信号中に含まれる実信号成分を低減させることができるので、微少レベルの歪成分をさらに精度よく検出することができる。
【００１４】
この態様の本発明に係る歪検出回路において、前記残留歪抽出回路による結合後の出力信号中に含まれる入力信号成分が低減するように、該残留歪抽出回路にて結合される信号の振幅及び位相の相互関係を制御する残留歪制御手段を備えるものとすることもできる。こうすれば、検波される増幅後の出力信号中に含まれる実信号成分を安定して低減させることができる。
【００１５】
この態様の本発明に係る歪検出回路において、前記残留歪制御手段は、前記増幅器へ入力される入力信号を用いて前記残留歪抽出回路による結合後の出力信号を検波することで、該結合後の出力信号中に含まれる入力信号成分を示す信号を発生させる残留歪検波器を有し、該残留歪検波器にて発生させた信号を基に該残留歪抽出回路にて結合される信号の振幅及び位相の相互関係を制御するものとすることもできる。こうすれば、検波される増幅後の出力信号中に含まれる実信号成分を低減させる制御を簡単な回路構成で行うことができる。
【００１６】
本発明に係る歪検出回路において、前記増幅後の出力信号の一部を包絡線検波する残留歪包絡線検波器をさらに備え、前記参照歪発生回路は、前記参照歪信号を包絡線検波する参照歪包絡線検波器をさらに有し、前記歪検出用検波器は、前記参照歪包絡線検波器による包絡線検波後の参照歪信号を用いて前記残留歪包絡線検波器による包絡線検波後の出力信号を検波するものとすることもできる。こうすれば、参照歪信号を用いた増幅後の出力信号の検波を低コストな低周波回路で行うことができる。
【００１７】
この態様の本発明に係る歪検出回路において、前記参照歪発生回路は、前記増幅器へ入力される入力信号の一部を包絡線検波する入力信号包絡線検波器と、前記参照歪包絡線検波器による包絡線検波後の参照歪信号に前記入力信号包絡線検波器による包絡線検波後の入力信号を結合することで、該結合後の参照歪信号中に含まれる入力信号成分を低減させる参照歪抽出回路と、をさらに有し、前記歪検出用検波器は、前記参照歪抽出回路による結合後の参照歪信号を用いて前記増幅後の出力信号を検波するものとすることもできる。こうすれば、増幅後の出力信号の検波に用いられる参照歪信号中に含まれる実信号成分をさらに低減させることができるので、微少レベルの歪成分をさらに精度よく検出することができる。
【００１８】
この態様の本発明に係る歪検出回路において、前記参照歪抽出回路による結合後の参照歪信号中に含まれる入力信号成分が低減するように、該参照歪抽出回路にて結合される信号の振幅の相互関係を制御する参照歪制御手段を備えるものとすることもできる。こうすれば、増幅後の出力信号の検波に用いられる参照歪信号中に含まれる実信号成分を安定して低減させることができる。
【００１９】
本発明に係る歪検出回路において、前記増幅器へ入力される入力信号の一部を包絡線検波する入力信号包絡線検波器と、前記残留歪包絡線検波器による包絡線検波後の出力信号に前記入力信号包絡線検波器による包絡線検波後の入力信号を結合することで、該結合後の出力信号中に含まれる入力信号成分を低減させる残留歪抽出回路と、をさらに備え、前記歪検出用検波器は、前記参照歪信号を用いて前記残留歪抽出回路による結合後の出力信号を検波するものとすることもできる。こうすれば、検波される増幅後の出力信号中に含まれる実信号成分を低減させることができるので、微少レベルの歪成分をさらに精度よく検出することができる。
【００２０】
この態様の本発明に係る歪検出回路において、前記残留歪抽出回路による結合後の出力信号中に含まれる入力信号成分が低減するように、該残留歪抽出回路にて結合される信号の振幅の相互関係を制御する残留歪制御手段を備えるものとすることもできる。こうすれば、検波される増幅後の出力信号中に含まれる実信号成分を安定して低減させることができる。
【００２１】
また、本発明に係るフィードフォワード増幅器は、入力信号を増幅する増幅器を含み、該増幅器へ入力される入力信号の一部と該増幅器から出力される信号の一部とを振幅及び位相の相互関係を調整して結合することで、該増幅器にて発生した歪成分を含むフィードフォワード信号を生成する歪抽出ループと、前記フィードフォワード信号と前記増幅器から出力される信号とを振幅及び位相の相互関係を調整して結合することで、前記歪成分が低減された出力信号を生成する歪除去ループと、前記出力信号中における前記歪成分が低減するように、前記歪除去ループにて結合される信号の振幅及び位相の相互関係を制御する歪除去制御手段と、を備えるフィードフォワード増幅器であって、前記歪除去制御手段は、本発明に係る歪検出回路を含み、前記歪検出用検波器が発生させる歪検出信号を基に前記歪除去ループにて結合される信号の振幅及び位相の相互関係を制御することを要旨とする。
【００２２】
この本発明においては、微少レベルの歪成分を精度よく検出することができるので、検出した歪成分が低減するように歪除去ループの制御を行うことで、歪除去性能をさらに向上させることができる。
【００２３】
また、本発明に係るプリディストーション増幅器は、入力信号を増幅する増幅器と、該増幅器へ入力される入力信号の振幅及び位相の調整が可能な調整手段と、前記増幅器からの出力信号中に含まれる歪成分が低減するように、該増幅器へ入力される入力信号の振幅及び位相を制御する歪除去制御手段と、を備えるプリディストーション増幅器であって、前記歪除去制御手段は、本発明に係る歪検出回路を含み、前記歪検出用検波器が発生させる歪検出信号を基に前記増幅器へ入力される入力信号の振幅及び位相を制御することを要旨とする。
【００２４】
この本発明においては、微少レベルの歪成分を精度よく検出することができるので、検出した歪成分が低減するように増幅器へ入力される入力信号の振幅及び位相を制御することで、歪除去性能をさらに向上させることができる。
【発明を実施するための最良の形態】
【００２５】
以下、本発明を実施するための形態（以下実施形態という）を図面に従って説明する。
【００２６】
「実施形態１」
図１は、本発明の実施形態１に係る歪検出回路を含むフィードフォワード増幅器の構成の概略を示す図である。本実施形態に係るフィードフォワード増幅器は、主増幅器５にて発生した歪成分を含むフィードフォワード信号を生成する歪抽出ループ２１と、この歪成分が除去または抑圧された低歪出力信号を生成する歪除去ループ２２と、を備えている。そして、歪抽出ループ２１は、分配回路３、振幅調整回路２、位相調整回路４、主増幅器５、遅延回路６、及び方向性結合器７を備えている。一方、歪除去ループ２２は、振幅調整回路８、位相調整回路９、補助増幅器１０、方向性結合器１１、及び遅延回路１２を備えている。
【００２７】
分配回路３は、入力端子１からの広帯域信号である入力信号を振幅調整回路２及び遅延回路６に分配する。振幅調整回路２は、分配された入力信号の振幅を調整して位相調整回路４へ出力する。位相調整回路４は、振幅調整回路２からの信号の位相を調整して主増幅器５へ出力する。主増幅器５は、位相調整回路４からの信号を増幅して方向性結合器７へ出力する。遅延回路６は、分配された入力信号を遅延させ、方向性結合器７へ出力する。方向性結合器７は、主増幅器５から出力された信号を遅延回路１２を介し方向性結合器１１に供給する一方で、主増幅器５から出力された信号の一部を分岐して遅延回路６からの信号と結合させ、その結果得られたフィードフォワード信号を振幅調整回路８に供給する。
【００２８】
振幅調整回路８は、方向性結合器７からのフィードフォワード信号の振幅を調整して位相調整回路９へ出力する。位相調整回路９は、振幅調整回路８からの信号の位相を調整して補助増幅器１０へ出力する。補助増幅器１０は、位相調整回路９からの信号を増幅して方向性結合器１１へ出力する。方向性結合器１１は、遅延回路１２により遅延された信号と補助増幅器１０にて増幅された信号を結合し、その結果得られた低歪出力信号を出力端子１６を介し図示しない後段の回路へ出力する。
【００２９】
ここで、分配回路３により分配され、方向性結合器７にて結合の対象となる２種類の信号のうち、主増幅器５を通り方向性結合器７に供給される信号には、入力信号成分（以下主信号成分とする）の他に主増幅器５にて発生する歪成分が含まれている。一方、遅延回路６を通り方向性結合器７に供給される信号については、主信号成分のみで歪成分は含まれていない。これら２種類の信号が方向性結合器７内の信号結合点にて結合されることで、歪成分を含むフィードフォワード信号が生成される。その際に、これら２種類の信号に含まれる主信号成分同士を、方向性結合器７内の信号結合点にて同振幅かつ逆位相の状態で結合することにより、フィードフォワード信号から主信号成分を除去することができる。すなわち、主増幅器５にて発生する歪成分を検出することができる。したがって、このような関係が成立するように、方向性結合器７にて結合の対象となる２種類の信号における振幅及び位相の相互関係が振幅調整回路２及び位相調整回路４により調整される。
【００３０】
一方、方向性結合器１１にて結合の対象となる２種類の信号のうち、遅延回路１２を通り方向性結合器１１に供給される信号には、主信号成分の他に主増幅器５にて発生した歪成分が含まれている。そして、補助増幅器１０を通り方向性結合器１１に供給されるフィードフォワード信号には、主として歪成分が含まれている。したがって、方向性結合器１１にて結合の対象となる２種類の信号に含まれる歪成分同士を、方向性結合器１１内の信号結合点にて同振幅かつ逆位相の状態で結合することにより、方向性結合器１１から出力端子１６を介し出力される低歪出力信号から歪成分を除去することができる。したがって、このような関係が成立するように、方向性結合器１１にて結合の対象となる２種類の信号における振幅及び位相の相互関係が振幅調整回路８及び位相調整回路９により調整される。
【００３１】
次に、振幅調整回路２，８における振幅調整量（利得）、及び位相調整回路４，９における位相調整量（移相量）を制御するための制御回路の構成について説明する。制御回路は、フィードフォワード信号中における主信号成分の電力をほぼ最小レベルへ収束させるための歪抽出制御電圧を生成する歪抽出制御回路４３と、出力端子１６における低歪出力信号中の歪成分の電力をほぼ最小レベルへ収束させるための歪除去制御電圧を生成する歪除去制御回路４１と、を備えている。
【００３２】
まず歪抽出制御回路４３に関して説明する。歪抽出制御回路４３は、歪抽出同期検波回路５６及び比較誤差増幅器５７，５８を備えている。
【００３３】
フィードフォワード信号中の主信号成分レベルを検出するために、方向性結合器７と振幅調整回路８との間に設けられたカプラ１４によりフィードフォワード信号が分岐されて取り出される。カプラ１４により取り出されたフィードフォワード信号は、このフィードフォワード信号中の主信号成分レベルを検出するための誤差信号として、歪抽出同期検波回路５６に入力される。
【００３４】
一方、遅延回路６と方向性結合器７との間には、入力端子１からの入力信号（主信号）を取り出すためにカプラ１５が設けられている。カプラ１５にて分岐された信号経路には、分配器４４が設けられており、カプラ１５により取り出された入力信号（主信号）がこの分配器４４により分配される。分配器４４により分配された主信号の一方は、遅延回路６８により遅延されてから分配器４７へ供給されることでさらに分配される。分配器４４により分配された主信号の他方は、フィードフォワード信号中の主信号成分レベルを検出するための参照信号として、歪抽出同期検波回路５６に入力される。
【００３５】
歪抽出同期検波回路５６は、分配器４４により分配された主信号の他方を参照信号として用いて、カプラ１４により取り出されたフィードフォワード信号を同相及び直交位相で同期検波する。同相で同期検波することで発生した直流電圧は、比較誤差増幅器５７に入力される。一方、直交位相で同期検波することで発生した直流電圧は、比較誤差増幅器５８に入力される。
【００３６】
ここで、歪抽出同期検波回路５６にて同相で同期検波することで発生した直流電圧は、方向性結合器７にて結合の対象となる２種類の信号に含まれる主信号成分同士の信号結合点における振幅誤差（同振幅で誤差なし）とみなすことができる。そこで、比較誤差増幅器５７は、この直流電圧を０または０に近い微少な値に一致させるための振幅調整用の歪抽出制御電圧Ｖ１Ａを振幅調整回路２へ出力する。
【００３７】
そして、歪抽出同期検波回路５６にて直交位相で同期検波することで発生した直流電圧は、方向性結合器７にて結合の対象となる２種類の信号に含まれる主信号成分同士の信号結合点における位相誤差（逆位相で誤差なし）とみなすことができる。そこで、比較誤差増幅器５８は、この直流電圧を０または０に近い微少な値に一致させるための位相調整用の歪抽出制御電圧Ｖ１Ｐを位相調整回路４へ出力する。
【００３８】
振幅調整用の歪抽出制御電圧Ｖ１Ａにより振幅調整回路２における利得が制御され、位相調整用の歪抽出制御電圧Ｖ１Ｐにより位相調整回路４における移相量が制御される。これによって、方向性結合器７にて結合の対象となる２種類の信号における振幅及び位相の相互関係が制御される。
【００３９】
次に、歪除去制御回路４１に関して説明する。歪除去制御回路４１は、参照歪発生回路７０、参照歪制御回路７２、残留歪抽出回路７３、残留歪制御回路７４、歪検出同期検波回路７５、及び比較誤差増幅器５０，５１を備えている。ここで、参照歪発生回路７０、参照歪制御回路７２、残留歪抽出回路７３、残留歪制御回路７４、及び歪検出同期検波回路７５により、本実施形態に係る歪検出回路を構成することができる。
【００４０】
まず残留歪抽出回路７３及び残留歪制御回路７４に関して説明する。残留歪抽出回路７３は、振幅調整回路６３、位相調整回路６４、及び方向性結合器１７を備えており、残留歪制御回路７４は、残留歪同期検波回路６７及び比較誤差増幅器５２，５３を備えている。
【００４１】
出力端子１６での低歪出力信号中の歪成分レベルを検出するために、方向性結合器１１と出力端子１６との間に設けられたカプラ１３により低歪出力信号が分岐されて取り出される。カプラ１３にて分岐された信号経路には、方向性結合器１７が設けられており、カプラ１３により取り出された低歪出力信号は、方向性結合器１７内の信号結合点にて後述する主信号と結合される。この主信号と結合された後の低歪出力信号は、分配器４６へ供給されることで分配される。分配器４６により分配された低歪出力信号の一方は、方向性結合器１７による結合後の低歪出力信号中の主信号成分レベルを検出するための誤差信号として、残留歪同期検波回路６７に入力される。
【００４２】
また、分配器４７により分配された主信号の一方は、分配器４８へ供給されることでさらに分配される。そして、分配器４７により分配された主信号の他方は、方向性結合器１７による結合後の低歪出力信号中の主信号成分レベルを検出するための参照信号として、残留歪同期検波回路６７に入力される。
【００４３】
また、分配器４８により分配された主信号の一方は、分配器４９へ供給されることでさらに分配される。そして、分配器４８により分配された主信号の他方は、振幅調整回路６３及び位相調整回路６４により振幅及び位相がそれぞれ調整されてから方向性結合器１７へ供給されることで、カプラ１３により取り出された低歪出力信号と結合される。
【００４４】
ここで、方向性結合器１７にて結合の対象となる２種類の信号に含まれる主信号成分同士を、方向性結合器１７内の信号結合点にて同振幅かつ逆位相の状態で結合することにより、方向性結合器１７から分配器４６へ供給される低歪出力信号から主信号成分を除去することができ、低歪出力信号中に残留している歪成分を抽出することができる。そこで、このような関係が成立するように、方向性結合器１７にて結合の対象となる２種類の信号における振幅及び位相の相互関係が振幅調整回路６３及び位相調整回路６４により調整される。
【００４５】
残留歪同期検波回路６７は、分配器４７により分配された主信号の他方を参照信号として用いて、分配器４６により分配された低歪出力信号の一方を同相及び直交位相で同期検波する。同相で同期検波することで発生した直流電圧は、比較誤差増幅器５２に入力される。一方、直交位相で同期検波することで発生した直流電圧は、比較誤差増幅器５３に入力される。
【００４６】
ここで、残留歪同期検波回路６７にて同相で同期検波することで発生した直流電圧は、方向性結合器１７にて結合の対象となる２種類の信号に含まれる主信号成分同士の信号結合点における振幅誤差（同振幅で誤差なし）とみなすことができる。そこで、比較誤差増幅器５２は、この直流電圧を０または０に近い微少な値に一致させるための振幅調整用の残留歪制御電圧Ｖ２Ａを振幅調整回路６３へ出力する。
【００４７】
そして、残留歪同期検波回路６７にて直交位相で同期検波することで発生した直流電圧は、方向性結合器１７にて結合の対象となる２種類の信号に含まれる主信号成分同士の信号結合点における位相誤差（逆位相で誤差なし）とみなすことができる。そこで、比較誤差増幅器５３は、この直流電圧を０または０に近い微少な値に一致させるための位相調整用の残留歪制御電圧Ｖ２Ｐを位相調整回路６４へ出力する。
【００４８】
振幅調整用の残留歪制御電圧Ｖ２Ａにより振幅調整回路６３における利得が制御され、位相調整用の残留歪制御電圧Ｖ２Ｐにより位相調整回路６４における移相量が制御される。これによって、方向性結合器１７にて結合の対象となる２種類の信号における振幅及び位相の相互関係が制御される。
【００４９】
次に、参照歪発生回路７０及び参照歪制御回路７２に関して説明する。参照歪発生回路７０は、歪発生器６５及び参照歪抽出回路７１を備えており、参照歪制御回路７２は、参照歪同期検波回路６６及び比較誤差増幅器５４，５５を備えている。そして、参照歪抽出回路７１は、振幅調整回路６１、位相調整回路６２、及び方向性結合器１８を備えている。
【００５０】
分配器４９により分配された主信号の一方は、分配器５９へ供給されることでさらに分配される。分配器５９により分配された主信号の一方は、歪発生器６５へ供給される。歪発生器６５は、分配器５９からの主信号を基に、主増幅器５にて発生する歪成分と同一周波数の歪成分を含む参照歪信号を発生させる。歪発生器６５からの参照歪信号は、方向性結合器１８へ供給される。
【００５１】
ここでの歪発生器６５は、例えば分配器５９からの主信号が入力される増幅器により構成することができる。その場合は、増幅器６５のバックオフ（増幅器の飽和出力からどの位低いレベルで増幅器を動作させるかを決定するパラメータ）を主増幅器５のバックオフより十分小さく設定する。このバックオフの設定により、増幅器６５からの参照歪信号中に含まれる歪成分の割合を増大させることができる。
【００５２】
あるいは、図２（Ａ）、（Ｂ）に示す逆並列接続されたダイオード６５ａ，６５ｂを用いた歪発生器により、本実施形態の歪発生器６５を構成することもできる。さらに、特許文献５〜８に開示されている歪発生回路のいずれかにより、本実施形態の歪発生器６５を構成することもできる。
【００５３】
また、分配器５９により分配された主信号の他方は、振幅調整回路６１及び位相調整回路６２により振幅及び位相がそれぞれ調整されてから方向性結合器１８へ供給されることで、歪発生器６５からの参照歪信号と結合される。この主信号と結合された後の参照歪信号は、分配器６０へ供給されることで分配される。
【００５４】
ここで、方向性結合器１８にて結合の対象となる２種類の信号に含まれる主信号成分同士を、方向性結合器１８内の信号結合点にて同振幅かつ逆位相の状態で結合することにより、方向性結合器１８から分配器６０へ供給される参照歪信号から主信号成分を除去することができる。そこで、このような関係が成立するように、方向性結合器１８にて結合の対象となる２種類の信号における振幅及び位相の相互関係が振幅調整回路６１及び位相調整回路６２により調整される。
【００５５】
分配器６０により分配された参照歪信号の一方は、方向性結合器１８による結合後の参照歪信号中の主信号成分レベルを検出するための誤差信号として、参照歪同期検波回路６６に入力される。また、分配器４９により分配された主信号の他方は、方向性結合器１８による結合後の参照歪信号中の主信号成分レベルを検出するための参照信号として、参照歪同期検波回路６６に入力される。
【００５６】
参照歪同期検波回路６６は、分配器４９により分配された主信号の他方を参照信号として用いて、分配器６０により分配された参照歪信号の一方を同相及び直交位相で同期検波する。同相で同期検波することで発生した直流電圧は、比較誤差増幅器５４に入力される。一方、直交位相で同期検波することで発生した直流電圧は、比較誤差増幅器５５に入力される。
【００５７】
ここで、参照歪同期検波回路６６にて同相で同期検波することで発生した直流電圧は、方向性結合器１８にて結合の対象となる２種類の信号に含まれる主信号成分同士の信号結合点における振幅誤差（同振幅で誤差なし）とみなすことができる。そこで、比較誤差増幅器５４は、この直流電圧を０または０に近い微少な値に一致させるための振幅調整用の参照歪制御電圧Ｖ３Ａを振幅調整回路６１へ出力する。
【００５８】
そして、参照歪同期検波回路６６にて直交位相で同期検波することで発生した直流電圧は、方向性結合器１８にて結合の対象となる２種類の信号に含まれる主信号成分同士の信号結合点における位相誤差（逆位相で誤差なし）とみなすことができる。そこで、比較誤差増幅器５５は、この直流電圧を０または０に近い微少な値に一致させるための位相調整用の参照歪制御電圧Ｖ３Ｐを位相調整回路６２へ出力する。
【００５９】
振幅調整用の参照歪制御電圧Ｖ３Ａにより振幅調整回路６１における利得が制御され、位相調整用の参照歪制御電圧Ｖ３Ｐにより位相調整回路６２における移相量が制御される。これによって、方向性結合器１８にて結合の対象となる２種類の信号における振幅及び位相の相互関係が制御される。
【００６０】
次に、歪検出同期検波回路７５に関して説明する。
【００６１】
分配器４６により分配された低歪出力信号の他方は、方向性結合器１７による結合後の低歪出力信号中の歪成分レベルを検出するための誤差信号として、歪検出同期検波回路７５に入力される。また、分配器６０により分配された参照歪信号の他方は、方向性結合器１７による結合後の低歪出力信号中の歪成分レベルを検出するための参照信号として、歪検出同期検波回路７５に入力される。
【００６２】
歪検出同期検波回路７５は、分配器６０により分配された参照歪信号の他方を参照信号として用いて、分配器４６により分配された低歪出力信号の他方を同相及び直交位相で同期検波する。同相で同期検波することで発生した低歪出力信号中の歪成分を示す歪検出電圧（同相成分）は、比較誤差増幅器５０に入力される。一方、直交位相で同期検波することで発生した低歪出力信号中の歪成分を示す歪検出電圧（直交成分）は、比較誤差増幅器５１に入力される。
【００６３】
ここで、歪検出同期検波回路７５にて同相で同期検波することで発生した歪検出電圧（同相成分）は、方向性結合器１１にて結合の対象となる２種類の信号に含まれる歪成分同士の信号結合点における振幅誤差（同振幅で誤差なし）とみなすことができる。そこで、比較誤差増幅器５０は、この歪検出電圧（同相成分）を０または０に近い微少な値に一致させるための振幅調整用の歪除去制御電圧Ｖ４Ａを振幅調整回路８へ出力する。
【００６４】
そして、歪検出同期検波回路７５にて直交位相で同期検波することで発生した歪検出電圧（直交成分）は、方向性結合器１１にて結合の対象となる２種類の信号に含まれる歪成分同士の信号結合点における位相誤差（逆位相で誤差なし）とみなすことができる。そこで、比較誤差増幅器５１は、この歪検出電圧（直交成分）を０または０に近い微少な値に一致させるための位相調整用の歪除去制御電圧Ｖ４Ｐを位相調整回路９へ出力する。
【００６５】
振幅調整用の歪除去制御電圧Ｖ４Ａにより振幅調整回路８における利得が制御され、位相調整用の歪除去制御電圧Ｖ４Ｐにより位相調整回路９における移相量が制御される。これによって、方向性結合器１１にて結合の対象となる２種類の信号における振幅及び位相の相互関係が制御される。
【００６６】
以上説明したように、本実施形態においては、主増幅器５にて発生する歪成分と同一周波数の歪成分を主として含む参照歪信号を出力する参照歪発生回路７０を主増幅器５と別個に設けることで、この参照歪信号中に含まれる主信号成分を低減させ歪成分の割合を増大させることができる。そして、この参照歪信号を用いて低歪出力信号を同期検波することで、同期検波によって得られる歪検出電圧中に含まれる主信号を示す成分を低減することができ、同期検波による歪成分の検出誤差を低減することができる。したがって、本実施形態によれば、微少レベルの歪成分を精度よく検出することができる。
【００６７】
そして、微少レベルの歪成分を精度よく検出することができるので、検出した歪成分が低減するように歪除去ループ２２の制御を行うことで、歪除去性能をさらに向上させることができる。さらに、歪抽出ループ２１の制御及び歪除去ループ２２の制御の両方をパイロット信号を用いることなく行うことができる。
【００６８】
そして、本実施形態においては、歪発生器６５からの参照歪信号に主信号を方向性結合器１８にて逆相結合することで、参照歪信号中に含まれる主信号成分をさらに低減させることができる。したがって、参照歪信号を用いた低歪出力信号の同期検波による歪成分の検出誤差をさらに低減することができる。さらに、参照歪信号と方向性結合器１８にて結合される主信号の振幅及び位相を制御することで、参照歪信号中に含まれる主信号成分を安定して低減させることができる。
【００６９】
また、本実施形態においては、低歪出力信号に主信号を方向性結合器１７にて逆相結合することで、低歪出力信号中に含まれる主信号成分を低減させることができる。したがって、低歪出力信号の同期検波による歪成分の検出誤差をさらに低減することができる。さらに、低歪出力信号と方向性結合器１７にて結合される主信号の振幅及び位相を制御することで、低歪出力信号中に含まれる主信号成分を安定して低減させることができる。
【００７０】
「実施形態２」
図３は、本発明の実施形態２に係る歪検出回路を含むフィードフォワード増幅器の構成の概略を示す図である。本実施形態における歪除去制御回路４１は、参照歪発生回路７０、参照歪制御回路７２、残留歪抽出回路７３、残留歪制御回路７４、残留歪包絡線検波回路８１、歪検出同期検波回路７５、及び比較誤差増幅器５０，５１を備えている。そして、参照歪発生回路７０は、歪発生器６５、参照歪抽出回路７１、入力信号包絡線検波回路８２、及び参照歪包絡線検波回路８３を備えており、参照歪抽出回路７１は、振幅調整回路６１及び合成器８５を備えている。ここで、参照歪発生回路７０、参照歪制御回路７２、残留歪抽出回路７３、残留歪制御回路７４、残留歪包絡線検波回路８１、及び歪検出同期検波回路７５により、本実施形態に係る歪検出回路を構成することができる。
【００７１】
まず残留歪抽出回路７３及び残留歪制御回路７４に関して説明する。残留歪抽出回路７３は、振幅調整回路６３及び合成器８４を備えている。
【００７２】
カプラ１３にて分岐された信号経路には、残留歪包絡線検波回路８１が設けられている。カプラ１３により取り出された低歪出力信号は、残留歪包絡線検波回路８１にて包絡線検波されることで包絡線信号が抽出される。残留歪包絡線検波回路８１による包絡線検波後の低歪出力信号は、合成器８４にて後述する包絡線検波後の主信号と減算合成される。合成器８４による減算合成後の低歪出力信号は、残留歪制御回路７４に入力される。
【００７３】
また、分配器４４により分配された主信号の一方は、遅延回路６８により遅延されてから分配器５９へ供給されることでさらに分配される。分配器５９により分配された主信号の一方は、入力信号包絡線検波回路８２にて包絡線検波されることで包絡線信号が抽出される。入力信号包絡線検波回路８２による包絡線検波後の主信号は、振幅調整回路６３により振幅が調整されてから合成器８４へ供給される。
【００７４】
ここで、合成器８４にて減算合成の対象となる２種類の信号に含まれる主信号成分同士を同振幅の状態で減算合成することにより、合成器８４から出力される低歪出力信号から主信号成分を除去することができ、低歪出力信号中に残留している歪成分を抽出することができる。そこで、このような関係が成立するように、合成器８４にて減算合成の対象となる２種類の信号における振幅の相互関係が振幅調整回路６３により調整される。
【００７５】
残留歪制御回路７４は、比較誤差増幅器により構成することができる。残留歪制御回路７４に入力される低歪出力信号の直流成分は、合成器８４にて減算合成の対象となる２種類の信号に含まれる主信号成分同士の振幅誤差（同振幅で誤差なし）とみなすことができる。そこで、残留歪制御回路７４は、この直流成分を０または０に近い微少な値に一致させるための振幅調整用の残留歪制御電圧Ｖ２Ａを振幅調整回路６３へ出力することで、振幅調整回路６３における利得を制御する。これによって、合成器８４にて減算合成の対象となる２種類の信号における振幅の相互関係が制御される。
【００７６】
次に、参照歪発生回路７０及び参照歪制御回路７２に関して説明する。
【００７７】
分配器５９により分配された主信号の他方は、歪発生器６５へ供給される。歪発生器６５は、分配器５９からの主信号を基に、主増幅器５にて発生する歪成分と同一周波数の歪成分を含む参照歪信号を発生させる。歪発生器６５からの参照歪信号は、参照歪包絡線検波回路８３にて包絡線検波されることで包絡線信号が抽出される。参照歪包絡線検波回路８３による包絡線検波後の参照歪信号は、合成器８５へ供給される。さらに、入力信号包絡線検波回路８２による包絡線検波後の主信号が、振幅調整回路６１により振幅が調整されてから合成器８５へ供給されることで、参照歪包絡線検波回路８３による包絡線検波後の参照歪信号と減算合成される。合成器８５による減算合成後の参照歪信号は、参照歪制御回路７２に入力される。
【００７８】
ここで、合成器８５にて減算合成の対象となる２種類の信号に含まれる主信号成分同士を同振幅の状態で減算合成することにより、合成器８５から出力される参照歪信号から主信号成分を除去することができる。そこで、このような関係が成立するように、合成器８５にて減算合成の対象となる２種類の信号における振幅の相互関係が振幅調整回路６１により調整される。
【００７９】
参照歪制御回路７２は、比較誤差増幅器により構成することができる。参照歪制御回路７２に入力される参照歪信号の直流成分は、合成器８５にて減算合成の対象となる２種類の信号に含まれる主信号成分同士の振幅誤差（同振幅で誤差なし）とみなすことができる。そこで、参照歪制御回路７２は、この直流成分を０または０に近い微少な値に一致させるための振幅調整用の参照歪制御電圧Ｖ３Ａを振幅調整回路６１へ出力することで、振幅調整回路６１における利得を制御する。これによって、合成器８５にて減算合成の対象となる２種類の信号における振幅の相互関係が制御される。
【００８０】
次に、歪検出同期検波回路７５に関して説明する。
【００８１】
合成器８４による減算合成後の低歪出力信号が、この低歪出力信号中の歪成分レベルを検出するための誤差信号として、歪検出同期検波回路７５に入力される。そして、合成器８５による減算合成後の参照歪信号が、合成器８４による減算合成後の低歪出力信号中の歪成分レベルを検出するための参照信号として、歪検出同期検波回路７５に入力される。
【００８２】
歪検出同期検波回路７５は、合成器８５による減算合成後の参照歪信号を参照信号として用いて、合成器８４による減算合成後の低歪出力信号を同相及び直交位相で同期検波する。同相で同期検波することで発生した低歪出力信号中の歪成分を示す歪検出電圧（同相成分）は、方向性結合器１１にて結合の対象となる２種類の信号に含まれる歪成分同士の信号結合点における振幅誤差（同振幅で誤差なし）とみなすことができる。そこで、比較誤差増幅器５０は、この歪検出電圧（同相成分）を０または０に近い微少な値に一致させるための振幅調整用の歪除去制御電圧Ｖ４Ａを振幅調整回路８へ出力する。一方、直交位相で同期検波することで発生した低歪出力信号中の歪成分を示す歪検出電圧（直交成分）は、方向性結合器１１にて結合の対象となる２種類の信号に含まれる歪成分同士の信号結合点における位相誤差（逆位相で誤差なし）とみなすことができる。そこで、比較誤差増幅器５１は、この歪検出電圧（直交成分）を０または０に近い微少な値に一致させるための位相調整用の歪除去制御電圧Ｖ４Ｐを位相調整回路９へ出力する。
【００８３】
振幅調整用の歪除去制御電圧Ｖ４Ａにより振幅調整回路８における利得が制御され、位相調整用の歪除去制御電圧Ｖ４Ｐにより位相調整回路９における移相量が制御される。これによって、方向性結合器１１にて結合の対象となる２種類の信号における振幅及び位相の相互関係が制御される。
【００８４】
なお、他の構成については実施形態１と同様であるため説明を省略する。
【００８５】
本実施形態においても、実施形態１と同様に、参照歪発生回路７０からの参照歪信号中に含まれる主信号成分を低減させ歪成分の割合を増大させることができるので、参照歪信号を用いた低歪出力信号の同期検波によって、微少レベルの歪成分を精度よく検出することができる。
【００８６】
さらに、本実施形態においては、参照歪発生回路７０からの参照歪信号及び低歪出力信号を包絡線検波した後に、参照歪信号を用いた低歪出力信号の同期検波を歪検出同期検波回路７５にて行っている。これによって、参照歪信号を用いた低歪出力信号の同期検波をベースバンド帯域にて行うことができるので、歪検出同期検波回路７５の構成の簡略化、及び低周波回路を使用することによる低コスト化を実現することができる。
【００８７】
そして、本実施形態においては、包絡線検波後の主信号を包絡線検波後の参照歪信号と合成器８５にて減算合成することで、参照歪信号中に含まれる主信号成分をさらに低減させることができる。したがって、同期検波による歪成分の検出誤差をさらに低減することができる。さらに、合成器８５による減算合成後の参照歪信号中の主信号成分レベルを低減させるための参照歪制御回路７２の構成を簡略化することができる。
【００８８】
また、本実施形態においては、包絡線検波後の主信号を包絡線検波後の低歪出力信号と合成器８４にて減算合成することで、低歪出力信号中に含まれる主信号成分を低減させることができる。したがって、同期検波による歪成分の検出誤差をさらに低減することができる。さらに、合成器８４による減算合成後の低歪出力信号中の主信号成分レベルを低減させるための残留歪制御回路７４の構成を簡略化することができる。
【００８９】
「実施形態３」
図４は、本発明の実施形態３に係る歪検出回路を含むプリディストーション増幅器の構成の概略を示す図である。本実施形態に係るプリディストーション増幅器は、遅延回路１０６、前置補償部１０３、増幅器１０５、及び歪除去制御回路４１を備えている。
【００９０】
前置補償部１０３は、遅延回路１０６と非線形特性を有する増幅器１０５との間に設けられており、振幅調整回路１０２及び位相調整回路１０４を備えている。振幅調整回路１０２は、増幅器１０５のＡＭ−ＡＭ特性の逆特性を生成する。位相調整回路１０４は、増幅器１０５のＡＭ−ＰＭ特性の逆特性を生成する。増幅器１０５は、前置補償部１０３からの信号を増幅し、その結果得られる低歪出力信号を出力端子１６を介し図示しない後段の回路へ出力する。
【００９１】
歪除去制御回路４１は、出力端子１６における低歪出力信号中の歪成分の電力をほぼ最小レベルへ収束させるための歪除去制御電圧を生成する。そして、歪除去制御回路４１は、参照歪発生回路７０、参照歪制御回路７２、残留歪抽出回路７３、残留歪制御回路７４、残留歪包絡線検波回路８１、歪検出同期検波回路７５、及び制御信号生成回路７７を備えている。
【００９２】
出力端子１６での低歪出力信号中の歪成分レベルを検出するために、増幅器１０５と出力端子１６との間に設けられたカプラ１３により低歪出力信号が分岐されて取り出される。カプラ１３により取り出された低歪出力信号は、残留歪包絡線検波回路８１にて包絡線検波されることで包絡線信号が抽出される。
【００９３】
また、入力端子１と振幅調整回路１０２との間には、入力端子１からの入力信号（主信号）を取り出すためにカプラ１９が設けられている。カプラ１９により取り出された入力信号（主信号）は、分配器５９へ供給されることでさらに分配される。
【００９４】
制御信号生成回路７７は、歪検出同期検波回路７５からの歪検出電圧（同相及び直交成分）、及び入力信号包絡線検波回路８２からの信号を基に、振幅調整用の歪除去制御電圧Ｖ４Ａ及び位相調整用の歪除去制御電圧Ｖ４Ｐを生成して、振幅調整回路１０２及び位相調整回路１０４へそれぞれ出力する。振幅調整用の歪除去制御電圧Ｖ４Ａにより振幅調整回路１０２における振幅調整量（利得）が制御され、位相調整用の歪除去制御電圧Ｖ４Ｐにより位相調整回路１０４における位相調整量（移相量）が制御されることで、出力端子１６での低歪出力信号中の歪成分レベルを低減させる歪除去制御が行われる。
【００９５】
なお、歪除去制御回路４１の他の構成については、実施形態２と同様であるため説明を省略する。また、プリディストーション増幅器の動作の詳細については、例えば特許文献４を参照されたい。
【００９６】
本実施形態においても、実施形態１，２と同様に、参照歪発生回路７０からの参照歪信号中に含まれる主信号成分を低減させ歪成分の割合を増大させることができるので、微少レベルの歪成分を精度よく検出することができる。さらに、実施形態２と同様に、歪検出同期検波回路７５、参照歪制御回路７２、及び残留歪制御回路７４の構成を簡略化することができる。
【００９７】
そして、本実施形態においては、微少レベルの歪成分を精度よく検出することができるので、検出した歪成分が低減するように増幅器１０５へ入力される入力信号の振幅及び位相の制御を行うことで、歪除去性能をさらに向上させることができる。
【００９８】
以上の実施形態３に係るプリディストーション増幅器の説明においては、実施形態２の歪検出回路を用いた場合について説明した。ただし、実施形態３に係るプリディストーション増幅器においては、実施形態１の歪検出回路を用いることもできる。
【００９９】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【０１００】
【図１】本発明の実施形態１に係る歪検出回路を含むフィードフォワード増幅器の構成の概略を示す図である。
【図２】歪発生器の構成例を示す図である。
【図３】本発明の実施形態２に係る歪検出回路を含むフィードフォワード増幅器の構成の概略を示す図である。
【図４】本発明の実施形態３に係る歪検出回路を含むプリディストーション増幅器の構成の概略を示す図である。
【符号の説明】
【０１０１】
２，８，６１，６３，１０２  振幅調整回路、４，９，６２，６４，１０４  位相調整回路、５  主増幅器、７，１１，１７，１８  方向性結合器、１０  補助増幅器、１３，１４，１５，１９  カプラ、２１  歪抽出ループ、２２  歪除去ループ、４１  歪除去制御回路、４３  歪抽出制御回路、４４，４６，４７，４８，４９，５９，６０  分配器、５０，５１，５２，５３，５４，５５，５７，５８  比較誤差増幅器、５６  歪抽出同期検波回路、６５  歪発生器、６６  参照歪同期検波回路、６７  残留歪同期検波回路、７０  参照歪発生回路、７１  参照歪抽出回路、７２  参照歪制御回路、７３  残留歪抽出回路、７４  残留歪制御回路、７５  歪検出同期検波回路、７７  制御信号生成回路、８１  残留歪包絡線検波回路、８２  入力信号包絡線検波回路、８３  参照歪包絡線検波回路、８４，８５  合成器、１０３  前置補償部、１０５  増幅器。
【図１】
2006033487.tif 000003
【図２】
2006033487.tif 000004
【図３】
2006033487.tif 000005
【図４】
2006033487.tif 000006